(57)【要約】【課題】放送エリアが変わった場合にのみ、自動的にチャンネル設定を実行させる携帯端末を提供する。【解決手段】時間帯表記憶手段８１は、時刻と曜日とからなる日時情報に対応する時間帯を定義する時間帯表を記憶する。停止時間帯記憶手段８２は、ユーザが操作手段５によりテレビジョン放送の受信を停止させる入力操作を行った時刻と曜日とからなる日時情報に対応する停止時間帯を記憶する。チャンネル設定実行条件記憶手段８３は、チャンネル設定を実行するか否かを判断するためのチャンネル設定実行条件を記憶している。制御手段７は、停止時間帯と開始時間帯がチャンネル設定実行条件を満足する場合に、チャンネル設定を実行する。【選択図】図２
2008113279.tif 000002
【特許請求の範囲】
【請求項１】
ユーザの行う入力操作に対応した制御信号を発生する操作手段と、通信の送受信を行う送受信手段と、放送を受信する放送受信手段と、映像を表示する映像表示手段と、音声を出力する音声出力手段と、現在の時刻と曜日とからなる日時情報を発生する時計手段と、前記各手段を制御する制御手段とを備えた携帯端末であって、
日時情報に対応する時間帯を定義する時間帯表を記憶する時間帯表記憶手段と、放送の受信を停止させる入力操作が行われた時刻と曜日とからなる日時情報に対応する停止時間帯を記憶する停止時間帯記憶手段と、チャンネル設定を実行するか否かを判断するためのチャンネル設定実行条件を記憶するチャンネル設定実行条件記憶手段とを備え、
前記制御手段は、
前記操作手段に対して放送の受信を停止させる入力操作が行われた際には、前記時計手段の発生する日時情報と前記時間帯表記憶手段に記憶された時間帯表とを読み込み、この読み込んだ日時情報に対応する時間帯たる停止時間帯を求めて停止時間帯記憶手段に記憶させ、
前記操作手段に対して放送の受信を開始させる入力操作が行われた際には、前記時計手段の発生する日時情報と前記時間帯表記憶手段に記憶された時間帯表とを読み込み、この読み込んだ日時情報に対応する時間帯たる開始時間帯を求め、前記停止時間帯記憶手段に記憶されている停止時間帯と前記チャンネル設定実行条件記憶手段に記憶されているチャンネル設定実行条件とを読み込み、前記停止時間帯と前記開始時間帯とが前記チャンネル設定実行条件を満足するか否かを判断し、前記チャンネル設定実行条件を満足する場合には、チャンネル設定を実行することを特徴とする携帯端末。
【請求項２】
放送エリアを示す識別子毎に受信可能なチャンネルを記憶した受信可能チャンネル記憶手段を備え、
前記制御手段が、前記送受信手段によって受信された放送エリアを示す識別子に対応する受信可能なチャンネルを前記受信可能チャンネル記憶手段から読み込み、この読み込んだ受信可能なチャンネルを前記放送受信手段に記憶することを特徴とする請求項１に記載の携帯端末。
【請求項３】
前記制御手段が、前記送受信手段によって受信された受信可能なチャンネルを前記放送受信手段に記憶することを特徴とする請求項１に記載の携帯端末。
【請求項４】
前記チャンネル設定実行条件は、前記停止時間帯と前記開始時間帯とが異なる場合にチャンネル設定を実行することであることを特徴とする請求項１乃至３の何れか１項に記載の携帯端末。
【請求項５】
前記チャンネル設定実行条件は、少なくとも前記停止時間帯と前記開始時間帯の何れかが予め定めた時間帯である場合にチャンネル設定を実行することであることを特徴とする請求項１乃至３の何れか１項に記載の携帯端末。
【発明の詳細な説明】
【技術分野】
【０００１】
本発明は、放送を受信可能な携帯端末に関し、より詳しくは、テレビジョン放送を受信可能な携帯電話機に関する。
【背景技術】
【０００２】
近年、高速交通網や航空網の発達により、遠距離通勤や長距離出張などが可能になってきた。例えば、住居が静岡県にある人が、月曜日から金曜日の毎日、午前７：００から午前９：００と午後７：００から午後９：００までを新幹線等による通勤に使用して、午前９：００から午後７：００までを東京都での勤務に使用することができる。
【０００３】
図１５は、この人の行動パターンを示す図である。同図の符号９５ａ、９５ｂ、９５ｃ、９５ｄが付与されている部分は、それぞれ、静岡県に居ること、静岡県から東京都に向かって移動していること、東京都で勤務していること、東京都から静岡県に向かって移動していることを示している。
【０００４】
また、住居が東京にあり、朝、東京本社に出社するが、その後、各地方の支店に日帰り出張する人についても、同様に説明できる。即ち、図１５の符号９５ａ、９５ｂ、９５ｃ、９５ｄが付与されている部分は、それぞれ、東京都内に居ること、東京都から支点のある地方に向かって移動していること、地方の支店で業務を行うこと、地方から東京都に向かって移動していることを示している。通常、出張先は、月曜日は静岡県、火曜日は福島県、水曜日は新潟県、というように日々異なっている。
【０００５】
このような人にとって、駅や空港で、電車や飛行機の出発までの待ち時間に、テレビジョン放送を視聴したいという要求は大きい。この要求を満足する装置の１つに、テレビジョン放送を受信可能な携帯電話機がある。この種の携帯電話機では、携帯電話機としてのスイッチが装置全体の主電源スイッチであるが、これとは別にテレビジョン放送の受信のためのスイッチを有しており、ユーザは、視聴を開始したい場合及び視聴を停止したい場合にこのスイッチを操作する。
【０００６】
所で、テレビジョン放送は、広域圏や都道府県などに基づいて、放送エリアが形成されている（例えば、関東広域や静岡県エリア等がある）。駅や空港で、テレビジョン放送の受信を開始するためにスイッチをオンにした際、前回オフにした場所と、放送エリアが等しければ、すぐにテレビジョン放送が受信され、映像が表示される。
【０００７】
一方、前回オフにした場所と、放送エリアが異なる場合は、チャンネルの設定を実行する必要がある。上述の遠距離通勤を例に説明する。午前７：３０に静岡駅発の新幹線を待つ間に、テレビジョン放送を視聴していた。そして、午後７：３０に東京駅発の新幹線を待つ間に、再びテレビジョン放送を視聴する場合、チャンネル設定が静岡県エリアになっているため、スイッチをオンした際にチャンネル設定を実行する必要がある。
【０００８】
以前は、テレビジョン放送の視聴を開始する際に、ユーザが手動でチャンネル設定を行うものが多かった。具体的には、メニュー機能において、ユーザが現在位置（例えば、都道府県名）を選択することで、受信可能なチャンネルが登録される方法があった。しかし、放送エリアが変わる度に、ユーザが手動でチャンネル設定を行うのは煩わしく、自動的にチャンネル設定が行われる技術が望まれていた。
【０００９】
特許文献１には、地域名とその地域で受信可能な放送局情報を記憶したメモリと、現在地の緯度情報及び経度情報を自動検出するＧＰＳアンテナ及びＧＰＳレシーバを備え、ＧＰＳレシーバで検出した緯度情報及び経度情報により現在地の地域名を判断して、その判断結果により上記メモリを検索して現在地で受信可能な放送局情報を一覧表示する技術が開示されている。
【００１０】
この技術は、自動車に取り付けられたカーナビゲーションシステムのように、予めＧＰＳ機能を有している装置の場合、このＧＰＳ機能を有効に使うことができるが、携帯端末の場合は、新たにＧＰＳ機能を追加することになるため、携帯端末が高価になるという問題があった。
【００１１】
現在、携帯電話網、ＰＨＳ網、無線ＬＡＮ等の移動通信網が発達し、ほとんどの地域で通信が可能となっている。特許文献２には、携帯端末装置が基地局毎に割り当てられた識別情報と放送チャンネルとの対応を記憶し、携帯電話網を使用して携帯端末装置が収容されている基地局の識別情報を取得することで、放送チャンネルを確定する技術（第１の実施形態）が開示されている。更に、特許文献２には、携帯電話網を使用してチャンネル情報を直接取得する技術（第２の実施形態）が開示されている。
【００１２】
【特許文献１】特開平６−２９２０９７号公報
【特許文献２】特開２００３−１７４３７６号公報
【発明の開示】
【発明が解決しようとする課題】
【００１３】
所で、日本国内の基地局数は、数万局オーダーであり、日々増加している。このため、特許文献２の第１の実施形態を実現するためには、各携帯端末は、数万局の基地局に割り当てられた識別情報と放送チャンネルとを記憶するとともに、日々この情報を更新する必要があり、現実的ではない。
【００１４】
また、駅や空港での待ち時間における視聴は、駅や空港という特定の場所で、出発時刻の前という特定の時間に、多くのユーザが、放送受信のためのスイッチをオンにすることになる。特許文献２の第２の実施形態によれば、各携帯電話機から基地局に対してチャンネル情報を要求する呼が集中して発生し、更に、基地局から各携帯電話機に対してチャンネル情報を回答する呼が集中して発生することになる。従って、呼集中により、輻輳が発生し易くなるという問題があった。このため、特定の場所で、特定の時間に多くのユーザが放送受信のためのスイッチをオンにした場合であっても、呼集中が発生しない技術が望まれていた。
【００１５】
本発明は、上述の問題点に鑑みてなされたものであり、ユーザが手動でチャンネル設定を行うのではなく、自動的にチャンネル設定が実行されることで、チャンネル設定操作の煩わしさを排除するとともに、テレビジョン放送の視聴を開始する際に基地局とアクセスする頻度を減少させることで、移動通信網の負荷と電池の消費量を低減する携帯端末を提供することを目的とする。
【課題を解決するための手段】
【００１６】
請求項１に記載の携帯端末は、ユーザの行う入力操作に対応した制御信号を発生する操作手段と、通信の送受信を行う送受信手段と、放送を受信する放送受信手段と、映像を表示する映像表示手段と、音声を出力する音声出力手段と、現在の時刻と曜日とからなる日時情報を発生する時計手段と、前記各手段を制御する制御手段とを備えた携帯端末であって、日時情報に対応する時間帯を定義する時間帯表を記憶する時間帯表記憶手段と、放送の受信を停止させる入力操作が行われた時刻と曜日とからなる日時情報に対応する停止時間帯を記憶する停止時間帯記憶手段と、チャンネル設定を実行するか否かを判断するためのチャンネル設定実行条件を記憶するチャンネル設定実行条件記憶手段とを備え、前記制御手段は、前記操作手段に対して放送の受信を停止させる入力操作が行われた際には、前記時計手段の発生する日時情報と前記時間帯表記憶手段に記憶された時間帯表とを読み込み、この読み込んだ日時情報に対応する時間帯たる停止時間帯を求めて停止時間帯記憶手段に記憶させ、前記操作手段に対して放送の受信を開始させる入力操作が行われた際には、前記時計手段の発生する日時情報と前記時間帯表記憶手段に記憶された時間帯表とを読み込み、この読み込んだ日時情報に対応する時間帯たる開始時間帯を求め、前記停止時間帯記憶手段に記憶されている停止時間帯と前記チャンネル設定実行条件記憶手段に記憶されているチャンネル設定実行条件とを読み込み、前記停止時間帯と前記開始時間帯とが前記チャンネル設定実行条件を満足するか否かを判断し、前記チャンネル設定実行条件を満足する場合には、チャンネル設定を実行することを特徴とする。
【００１７】
請求項１に記載の携帯端末によれば、放送の受信を停止させた時刻及び曜日に対応する時間帯（停止時間帯）並びに放送の受信を開始させた時刻及び曜日に対応する時間帯（開始時間帯）がチャンネル設定実行条件を満足する場合にのみ、自動的にチャンネル設定を実行させることができる。
【００１８】
請求項２に記載の携帯端末は、請求項１において、放送エリアを示す識別子毎に受信可能なチャンネルを記憶した受信可能チャンネル記憶手段を備え、前記制御手段が、前記送受信手段によって受信された放送エリアを示す識別子に対応する受信可能なチャンネルを前記受信可能チャンネル記憶手段から読み込み、この読み込んだ受信可能なチャンネルを前記放送受信手段に記憶することを特徴とする。
【００１９】
請求項２に記載の携帯端末によれば、送受信手段が放送エリアを示す識別子を受信することで、受信可能なチャンネルを放送受信手段に記憶するチャンネル設定を実行することができる。
【００２０】
請求項３に記載の携帯端末は、請求項１において、前記制御手段が、前記送受信手段によって受信された受信可能なチャンネルを前記放送受信手段に記憶することを特徴とする。
【００２１】
請求項３に記載の携帯端末によれば、送受信手段が受信可能なチャンネルを受信することで、受信可能なチャンネルを放送受信手段に記憶するチャンネル設定を実行することができる。
【００２２】
請求項４に記載の携帯端末は、請求項１乃至３の何れか１項において、前記チャンネル設定実行条件は、前記停止時間帯と前記開始時間帯とが異なる場合にチャンネル設定を実行することであることを特徴とする。
【００２３】
請求項４に記載の携帯端末によれば、放送の受信を停止させた時刻及び曜日に対応する時間帯（停止時間帯）と、放送の受信を開始させた時刻及び曜日に対応する時間帯（開始時間帯）とが異なる場合にのみ、チャンネル設定を実行させることができる。
【００２４】
請求項５に記載の携帯端末は、請求項１乃至３の何れか１項において、前記チャンネル設定実行条件は、少なくとも前記停止時間帯と前記開始時間帯の何れかが予め定めた時間帯である場合にチャンネル設定を実行することであることを特徴とする。
【００２５】
請求項５に記載の携帯端末によれば、放送の受信を停止させた時刻及び曜日に対応する時間帯（停止時間帯）と、放送の受信を開始させた時刻及び曜日に対応する時間帯（開始時間帯）の、何れかが予め定めた時間帯である場合にのみ、チャンネル設定を実行させることができる。
【発明の効果】
【００２６】
本発明によれば、放送の受信を停止させた時刻及び曜日に対応する時間帯（停止時間帯）並びに放送の受信を開始させた時刻及び曜日に対応する時間帯（開始時間帯）がチャンネル設定実行条件を満足する場合にのみ、自動的にチャンネル設定を実行する携帯端末を提供することができる。このため、手動でのチャンネル設定操作の煩わしさを排除することができるとともに、チャンネル設定を実行する頻度を減少させることができ、電池の消費量を低減することができる。
【００２７】
更に、本発明によれば、送受信手段が放送エリアを示す識別子を受信することで、受信可能なチャンネルを放送受信手段に記憶するチャンネル設定を実行することができる携帯端末を提供することができる。このため、携帯端末に対しては、放送エリアを示す識別子を送信するだけで良いため、無線リソースを有効的に使用することができ、輻輳の発生する頻度を減少させることができる。
【００２８】
更に、本発明によれば、送受信手段が受信可能なチャンネルを受信することで、受信可能なチャンネルを放送受信手段に記憶するチャンネル設定を実行することができる携帯端末を提供することができる。このため、携帯端末は、放送エリアを示す識別子又は基地局に割り当てられた識別情報と放送チャンネルとを記憶するとともに、日々この情報を更新する手段が不要になり、携帯端末のコストを削減することができる。
【００２９】
更に、本発明によれば、放送の受信を停止させた時刻及び曜日に対応する時間帯（停止時間帯）と、放送の受信を開始させた時刻及び曜日に対応する時間帯（開始時間帯）とが異なる場合にのみ、チャンネル設定を実行させることができる携帯端末を提供することができる。このため、各放送エリアに居る時間帯を定義した時間帯表を時間帯表記憶手段に記憶させることで、放送エリアが変わった場合にのみ、チャンネル設定を実行させることできる。
【００３０】
更に、本発明によれば、放送の受信を停止させた時刻及び曜日に対応する時間帯（停止時間帯）と、放送の受信を開始させた時刻及び曜日に対応する時間帯（開始時間帯）の、何れかが予め定めた時間帯である場合にのみ、チャンネル設定を実行させることができる。このため、どこに居るか分からない時間帯を予め定めた時間帯とすることで、放送エリアが変わった場合にのみ、チャンネル設定を実行させることができる。
【発明を実施するための最良の形態】
【００３１】
本発明の実施の形態を、図面を参照して説明する。なお、以下の実施例は本発明の具体例に過ぎず、本発明が以下の実施形態に限定されるものではない。
【実施例１】
【００３２】
図１は、本実施例の携帯端末の構成を示すブロック図である。携帯端末１は、送受信手段３１、送受信用アンテナ３２、放送受信手段４１、放送受信用アンテナ４２、操作手段５、時計手段６、制御手段７、映像表示手段７１、音声出力手段７２、音声入力手段７３、時間帯表記憶手段８１、停止時間帯記憶手段８２、チャンネル設定実行条件記憶手段８３、受信可能チャンネル記憶手段８４を備える。
【００３３】
送受信手段３１は、送受信用アンテナ３２を介して、携帯電話網の基地局と通信の送受信を行う。放送受信手段４１は、放送受信用アンテナ４２を介して、テレビジョン放送を受信する。操作手段５は、ユーザの行う入力操作に対応した制御信号を発生する。時計手段６は、現在の時刻と曜日とからなる日時情報を発生する。映像表示手段７１は、受信したテレビジョン放送の映像及び通信映像並びにこれらに付随する情報を表示する。音声出力手段７２は、受信したテレビジョン放送の音声及び通信音声を出力する。音声入力手段７３は、通信音声を入力する。
【００３４】
時間帯表記憶手段８１は、時刻と曜日とからなる日時情報に対応する時間帯を定義する時間帯表を記憶する。停止時間帯記憶手段８２は、ユーザが操作手段５によりテレビジョン放送の受信を停止させる入力操作を行った時刻と曜日とからなる日時情報に対応する停止時間帯を記憶する。チャンネル設定実行条件記憶手段８３は、チャンネル設定を実行するか否かを判断するためのチャンネル設定実行条件を記憶している。受信可能チャンネル記憶手段８４は、放送エリアを示す識別子毎に受信可能なチャンネルを記憶している。制御手段７は、上述の各手段を制御する。
【００３５】
図３は、本実施例の携帯端末の正面図である。携帯端末１の正面には、映像表示手段７１、音声出力手段７２、音声入力手段７３、操作手段を備える。操作手段は、テレビジョン放送用キー５１、メニューキー５２、上方向キー５３ａ、下方向キー５３ｂ、左方向キー５３ｃ、右方向キー５３ｄ、決定キー５４、通話キー５５、終話キー５６、数字キー５８を有する。
【００３６】
テレビジョン放送用キー５１を押下する毎に、テレビジョン放送の受信を開始したり停止したりする。メニューキー５２を押下すると、メニュー機能を開始する。上方向キー５３ａを押下すると、カーソルを上方向に移動させたり、音声出力手段から出力される音声の音量を上げたりする。下方向キー５３ｂを押下すると、カーソルを下方向に移動させたり、音声出力手段から出力される音声の音量を下げたりする。
【００３７】
左方向キー５３ｃを押下すると、カーソルを左方向に移動させたり、テレビジョン放送の受信チャンネルを下げたりする。右方向キー５３ｄを押下すると、カーソルを右方向に移動させたり、テレビジョン放送の受信チャンネルを上げたりする。決定キー５４を押下することにより、ユーザはカーソルのある位置の項目を選択することができる。
【００３８】
通話キー５５を押下することで、通信を開始することができる。終話キー５６キーを押下することで、通信を終了することができる。また、終話キー５６を長押しすることで、携帯端末自体の主電源のオンとオフを行うことができる。数字キー５８を押下することで、数字を入力することができる。
【００３９】
図４は、本実施例の携帯端末と放送局と基地局との関係を示すシステム構成図である。放送局４ａ、４ｂは、それぞれ、放送エリア４０ａ、４０ｂを形成する。放送エリア４０ａにある携帯端末１は、放送局４ａからのテレビジョン放送を受信可能であるとともに、移動通信網の基地局３と通信可能である。
【００４０】
図８乃至１１は、ユーザがメニュー機能により自動チャンネル設定を行う際に、本実施例の携帯端末の映像表示手段に表示される画面を示す図である。図８は、メニュートップの画面である。ユーザが「自動チャンネル設定」を選択すると、図９に示す画面に進む。この画面で、自動チャンネル設定を有効にしたり、無効にしたりできる。また、「時間帯」を選択すると図１０の画面に進み、「チャンネル設定実行条件」を選択すると図１１の画面に進む。
【００４１】
図１０の画面で、ユーザは、時間帯を設定することができる。同図は、時間帯２を、月曜日から金曜日までの午前８：００から午後８：００までと定義し、時間帯１を、時間帯２以外の時間帯と定義している。図１１の画面で、ユーザは、チャンネル設定実行条件を設定することができる。同図は、「停止時間帯と開始時間帯が異なる。」ということをチャンネル設定実行条件としている。
【００４２】
図１２は、本実施例の携帯端末において、図１０の画面で定義された時間帯表を示す図である。この時間帯表は、時間帯表記憶手段に記憶される。図１３（ａ）及び（ｂ）は、チャンネル設定実行条件記憶手段に記憶されるチャンネル設定実行条件の例を示す図である。
【００４３】
図１４は、本実施例の携帯端末の受信可能チャンネル記憶手段に記憶されている内容を表す図である。識別子９１毎に受信可能なチャンネル９３が記憶されている。例えば、識別子１３で示される放送エリアで受信可能なチャンネルは、２７、２６、２５、２４、２２、２３、２１、２０の８つである。ここで、受信可能なチャンネル９３は、実際に受信する周波数に対応しており、物理チャンネルとも言われている。なお、受信可能なチャンネル（物理チャンネル）９３には、リモコン番号と呼ばれる論理的なチャンネルが割り当てられている。
【００４４】
図５は、本実施例の携帯端末の自動チャンネル設定の処理を示すフローチャートである。このフローチャートは、携帯端末でテレビジョン放送の受信を開始すると始まる。
【００４５】
ステップＳ１１０で、制御手段７は、ユーザがテレビジョン放送用キー５１によってテレビジョン放送の受信を停止する操作を行ったか否かを判断し、停止する操作が行われた場合は、ステップＳ１２０に進み、そうでない場合は、ステップＳ１１０に進む。
【００４６】
ステップＳ１２０で、制御手段７は、時計手段６と時間帯表記憶手段８１から、それぞれ、日時情報と時間帯表を読み込み、ステップＳ１３０に進む。ステップＳ１３０で、制御手段７は、ステップＳ１２０で読み込んだ日時情報と時間帯表から停止時間帯を求め、ステップＳ１４０に進む。ステップＳ１４０で、制御手段７は、ステップＳ１３０で求めた停止時間帯を停止時間帯記憶手段８２に記憶させ、ステップＳ１５０に進む。
【００４７】
ステップＳ１５０で、制御手段７は、テレビジョン放送の受信を停止させ、ステップＳ１６０に進む。
【００４８】
ステップＳ１６０で、制御手段７は、ユーザがテレビジョン放送用キー５１によってテレビジョン放送の受信を開始する操作を行ったか否かを判断し、開始する操作が行われた場合は、ステップＳ１７０に進み、そうでない場合は、ステップＳ１６０に進む。
【００４９】
ステップＳ１７０で、制御手段７は、自動チャンネル設定が「有効」になっているか否かを判断し、「有効」になっている場合は、ステップＳ１８０に進み、そうでない場合は、ステップＳ２３０に進む。
【００５０】
ステップＳ１８０で、制御手段７は、時計手段６と時間帯表記憶手段８１から、それぞれ、日時情報と時間帯表を読み込み、ステップＳ１９０に進む。ステップＳ１９０で、制御手段７は、ステップＳ１８０で読み込んだ日時情報と時間帯表から開始時間帯を求め、ステップＳ２００に進む。ステップＳ２００で、制御手段７は、停止時間帯記憶手段８２とチャンネル設定実行条件記憶手段８３から、それぞれ、停止時間帯とチャンネル設定実行条件を読み込み、ステップＳ２１０に進む。
【００５１】
ステップＳ２１０で、制御手段７は、停止時間帯と開始時間帯がチャンネル設定実行条件を満足するか否かを判断し、満足する場合は、ステップＳ２２０に進み、そうでない場合は、ステップＳ２３０に進む。
【００５２】
ステップＳ２２０で、制御手段７は、チャンネル設定を実行し、ステップＳ２３０に進む。
【００５３】
ステップＳ２３０で、制御手段７は、テレビジョン放送の受信を開始させ、「終了」に進む。
【００５４】
図６は、本実施例の携帯端末の自動チャンネル設定の処理を示す図５のフローチャートのステップＳ２２０で実行されるチャンネル設定の処理を示すフローチャートである。
【００５５】
ステップＳ３１０で、制御手段７は、移動通信網の基地局３に対して、放送エリアを示す識別子を要求する。
【００５６】
ステップＳ３２０で、制御手段７は、識別子を受信したか否かを判断し、受信した場合は、ステップＳ３３０に進み、そうでない場合は、ステップＳ３２０に進む。
【００５７】
ステップＳ３３０で、制御手段７は、受信した識別子に対応する受信可能なチャンネルを、受信可能チャンネル記憶手段８４から読み込み、ステップＳ３４０に進む。ステップＳ３４０で、制御手段７は、ステップＳ３３０で読み込んだ受信可能なチャンネルを放送受信手段４１に記憶させ、「終了」に進む。
【００５８】
上述の本実施例の携帯端末の動作を説明する。先ず、住居が静岡県にあり、月曜日から金曜日の毎日、午前７：００から午前９：００と午後７：００から午後９：００までを新幹線等による通勤に使用して、午前９：００から午後７：００まで東京都で勤務する人について考える。この場合、図１２に示す時間帯表と図１３（ａ）に示すチャンネル設定実行条件を使用することで、適切にチャンネル設定を実行することができる。
【００５９】
これは、時間帯１が静岡県に居る時間帯に対応し、時間帯２が東京都に居る時間帯に対応するため、停止時間帯と開始時間帯とが異なる時間帯である場合は、異なる場所に居ることになるためである。例えば、午前７：３０に静岡駅発の新幹線を待つ間だけ、テレビジョン放送を視聴した場合は、停止時間帯は時間帯１となる。そして、午後７：３０に東京駅発の新幹線を待つ間に、再びテレビジョン放送を視聴する場合、開始時間帯は時間帯２となる。即ち、放送の受信を停止した場所と開始した場所が異なることを、停止時間帯と開始時間帯とが異なるによって検出し、チャンネル設定を実行する。
【００６０】
次に、住居が東京にあり、朝、東京本社に出社するが、その後、月曜日は静岡支店、火曜日は福島支店、水曜日は新潟支店、・・・のように日帰り出張する人について考える。この場合、図１２に示す時間帯と図１３（ｂ）に示すチャンネル設定実行条件を使用することで、適切にチャンネル設定を実行することができる。
【００６１】
時間帯１が東京都にいる時間帯に対応し、時間帯２が地方へ出張している時間帯に対応するため、停止時間帯と開始時間帯の両方が時間帯１であれば、チャンネル設定を実行する必要はない。即ち、少なくとも停止時間帯と開始時間帯のどちらかが時間帯２であれば、移動している可能性があるため、この場合にのみチャンネル設定を実行する。
【実施例２】
【００６２】
本実施例（実施例２）は、実施例１から受信可能チャンネル記憶手段８４を削除し、図６に示すチャンネル設定のフローチャートを図７に示すものに変更しただけであり、それ以外は、全て実施例１と等しいため、説明を一部省略する。
【００６３】
図７は、本実施例の携帯端末の自動チャンネル設定の処理を示す図５のフローチャートのステップＳ２２０で実行されるチャンネル設定の処理を示すフローチャートである。
【００６４】
ステップＳ４１０で、制御手段７は、移動通信網の基地局３に対して、受信可能なチャンネルを要求する。
【００６５】
ステップＳ４２０で、制御手段７は、受信可能なチャンネルを受信したか否かを判断し、受信した場合は、ステップＳ４３０に進み、そうでない場合は、ステップＳ４２０に進む。
【００６６】
ステップＳ４３０で、制御手段７は、受信した受信可能なチャンネルを放送受信手段４１に記憶させ、「終了」に進む。
【００６７】
このようにして、本実施例の場合も、実施例１と同様に、適切にチャンネル設定を実行することができる。
【００６８】
以上述べたように、本発明では、時間帯表とチャンネル設定実行条件を適切に設定することで、放送エリアが変わった場合にのみ、自動的にチャンネル設定を実行させる携帯端末を提供することができる。これにより、手動でのチャンネル設定操作の煩わしさを排除することができるとともに、チャンネル設定の頻度を減少させることができ、電池の消費量を低減することができる。
【００６９】
また、上述の実施例は、携帯端末１が移動通信網の基地局３に対して放送エリアを示す識別子や受信可能なチャンネルを要求するプル（ＰＵＬＬ）型であるため、基地局３との無線アクセスの頻度を減少させることができ、移動通信網への負荷を低減することができるとともに、無線の送受信に要する電池の消費量を低減することができる。
【００７０】
なお、上述の実施例は、携帯端末１が移動通信網の基地局３に対して放送エリアを示す識別子や受信可能なチャンネルを要求するプル（ＰＵＬＬ）型であるが、携帯端末１の要求なしに移動通信網の基地局３が放送エリアを示す識別子や受信可能なチャンネルを送信するプッシュ（ＰＵＳＨ）型であっても良い。
【図面の簡単な説明】
【００７１】
【図１】本発明の実施例の構成を示すブロック図である。
【図２】本発明の実施例の構成を示すブロック図である。
【図３】本発明の実施例の正面図である。
【図４】本発明の実施例のシステムを示す図である。
【図５】本発明の実施例の処理を示すフローチャートである。
【図６】本発明の実施例の処理を示すフローチャートである。
【図７】本発明の実施例の処理を示すフローチャートである。
【図８】本発明の実施例の画面を示す図である。
【図９】本発明の実施例の画面を示す図である。
【図１０】本発明の実施例の画面を示す図である。
【図１１】本発明の実施例の画面を示す図である。
【図１２】本発明の実施例の時間帯表を示す図である。
【図１３】本発明の実施例のチャンネル設定実行条件を示す図である。
【図１４】本発明の実施例の受信可能チャンネル記憶手段に記憶されている内容を示す図である。
【図１５】行動パターンを示す図である。
【符号の説明】
【００７２】
１  携帯端末
５  操作手段
６  時計手段
７  制御手段
３１  送受信手段
４０ａ，４０ｂ  放送エリア
４１  放送受信手段
５１  テレビジョン放送用キー
５２  メニューキー
７１  映像表示手段
７２  音声出力手段
８１  時間帯表記憶手段
８２  停止時間帯記憶手段
８３  チャンネル設定実行条件記憶手段
８４  受信可能チャンネル記憶手段
９１  識別子
９３  受信可能なチャンネル（物理チャンネル）
【図１】
2008113279.tif 000003
【図２】
2008113279.tif 000004
【図３】
2008113279.tif 000005
【図４】
2008113279.tif 000006
【図５】
2008113279.tif 000007
【図６】
2008113279.tif 000008
【図７】
2008113279.tif 000009
【図８】
2008113279.tif 000010
【図９】
2008113279.tif 000011
【図１０】
2008113279.tif 000012
【図１１】
2008113279.tif 000013
【図１２】
2008113279.tif 000014
【図１３】
2008113279.tif 000015
【図１４】
2008113279.tif 000016
【図１５】
2008113279.tif 000017